Podtech/llm-jp-corpus-v4-ja_patent huggingface dataset:
(57)【要約】      （修正有）【課題】安価な自動定量給水装置の提供。【解決手段】一定量の給水槽を設けて、電気制御部によって、植木鉢などに予め設定された給水量を前記一定量の給水槽の容量で割って得る商が、前記一定量の給水槽に満注水回数として、前記一定量の給水槽による給水するの自動定量給水装置。【選択図】図１
0003140357.tif 000002
【実用新案登録請求の範囲】
【請求項１】
一定量の給水槽を設けて、電気制御部によって、植木鉢などに予め設定された給水量を前記一定量の給水槽の容量で割って得る商が、前記一定量の給水槽に満注水する回数として、前記一定量の給水槽による給水するの自動定量給水装置。
【考案の詳細な説明】
【技術分野】
【０００１】本考案は、植木鉢、盆栽など定時定量給水が必要の物に自動定量給水するための装置に関する。
【背景技術】
【０００２】従来の自動給水器は高価な水流量センサーを付けなければ、定量的に給水することが困難である。
【考案の開示】
【考案が解決しようとする課題】
【０００３】近年、室内で各種観賞用植木の栽培が行われている。観賞植木では、定期定量的に給水しなければ、ならない。毎日、人力で植木に給水するのは、大変不便である。従来の自動給水器は高価な水流量センサーを付けなければ、定量的に給水することが困難である。
【課題を解決するための手段】
【０００４】一定量の給水槽を設けて、電気制御部によって、植木鉢などに予め設定された給水量を前記一定量の給水槽の容量で割って得る商が、前記一定量の給水槽に満注水回数として、前記一定量の給水槽による給水するの自動定量給水装置。
【考案の効果】
【０００５】高価な水流量センサーを不要、安価の自動定量給水器を実現できる。
【実施例】
【０００６】本考案に称する、自動定量給水器の実施例について、以下に図面を参照しつつ説明する。
図１は本考案に係る自動定量給水器の使用形態の一例を示した側面断面図である。図２は図１の給水器の上面図である。【０００７】図１表示のように、自動定量給水器は給水器上部（１）と貯水タンク（２）で組成する。給水器上部（１）の中に定量給水槽（１０）を設ける。定量給水槽の容量は最小給水量による、１０ｍｌにする。【０００８】ゴム栓（４）、鉄板（５）、鉄心（６）とコイルの電線（７）は電磁弁を組成する。ゴム栓（４）と鉄板（５）は細い棒により固定して、電磁弁の活動部である。鉄心（６）とコイルの電線（７）は電磁弁の固定部である。【０００９】普段、ゴム栓（４）は自重により、定量給水槽（１０）の穴に密接して、定量給水槽（１０）中の水（１３）が下に流れない。コイルの電線（７）に電流を流したら、電磁誘導の原理により鉄板（５）を鉄心（６）に吸い上げすると、ゴム栓を上げって、定量給水槽（１０）中の水（１３）が給水部（３）より植木鉢（１７）に流下する。【００１０】水を注水口（１６）から、貯水タンク（２）に注入する。貯水タンク中の水（１２）の最高水位は図１のように定量給水槽（１０）の下で設ける。【００１１】電気制御部（１１）の制御によって、水中ポンプ（９）は貯水タンク中の水（１２）を定量給水槽（１０）に定量給水槽容量（１０ｍｌ）より多いの水を注入する。定量給水槽は余分の水が貯水タンクに溢れて、自体の容量（１０ｍｌ）の水しかを残らない。そして、［０００９］の説明より一回の定量の水を植木鉢に給水する。【００１２】電源ボタン（１５）を押したら、電源がＯＮにする。電気制御部にはタイマー機能を付け、電源がＯＮする時点は毎日の給水時間【００１３】毎日の給水時間で、電気制御部（１１）は給水量設定ロータリースイッチ（１４）の設定された位置を、設定の給水量に判定する。判定した給水量を定量給水槽（１０）の容量で割って得る商が、［００１１］の説明よりの動作の回数として、植木鉢に給水する。
【図面の簡単な説明】
【００１４】
【図１】本考案に係る自動給水器の使用形態の一例を示した側面断面図。
【図２】本考案に係る自動給水器の使用形態の一例を示した上面図。
【符号の説明】
【００１５】１    給水器上部
２    貯水タンク
３    給水部
４    ゴム栓
５    鉄板
６    鉄心
７    コイルの電線
８    水管
９    水中ポンプ
１０  定量給水槽
１１  電気制御部
１２  水
１３  水
１４  給水量設定ロータリースイッチ
１５  電源ボタン
１６  注水口
１７  植木鉢
【図１】
0003140357.tif 000003
【図２】
0003140357.tif 000004
【手続補正書】
【提出日】平成19年12月13日(2007.12.13)
【手続補正１】
【補正対象書類名】実用新案登録請求の範囲
【補正対象項目名】全文
【補正方法】変更
【補正の内容】
【実用新案登録請求の範囲】
【請求項１】
貯水タンクと、該貯水タンクの最高水位の上につけるの一定小容量の定量給水槽と、水を該定量給水槽から植木鉢などに流す用の給水部と、該給水部と前記定量給水槽の間につけるの電磁弁と、前記貯水タンクの底部に置いて水管を通じて前記定量給水槽に給水するの水中ポンプと、該水中ポンプと前記電磁弁を制御して給水量設定機能を付けるの電子制御部を備えたことを特徴とする自動定量給水器。
(57)【要約】【課題】手・足のどの太さの指にも取り付けられ、照らしたい場所を必要な光量に調整でき、指先表面だけでＯＮ・ＯＦＦできる照明。【解決手段】  手・足のどの太さの指にも収縮ゴムにより取り付けられ、発光ダイオードやマイクロボタンスイッチを使用することによって軽量化を図り、照らしたい時だけ指の表面のマイクロボタンスイッチでＯＮ・ＯＦＦし、光量コントロールを行い必要な明るさで照らすことができるようにした。【選択図】図１
0003140354.tif 000002
【実用新案登録請求の範囲】
【請求項１】
この考案は、本体を手・足の、どの指にも収縮ゴムの採用により、太さに関係なく着用できる。
【請求項２】
この考案は、本体に取り付けている発光ダイオードの明るさを自由に調整できる。
【請求項３】
この考案は、本体に取り付けている発光ダイオードを  指の表面で本体に取り付けてあるマイクロボタンスイッチにてＯＮ・ＯＦＦできる。
【考案の詳細な説明】
【技術分野】
【０００１】  本考案は、指先だけを明るく照らすことを目的とした、指先に取り付けて使用するライトに関するもの。
【背景技術】  明るく照らすライトは、小型照明や小型懐中電灯など様々なものが実用化されているが、他人からライトの存在をわかりにくく使用できるものは少ない。
【考案の開示】
【考案が解決しようとする課題】
【０００２】  舞台上で司会進行中、手元のメモを読もうとしても、スポットライトを受けているため、手元がかなり見えづらく困ることが多い。【０００３】  また、真っ暗な状況、特に演劇中などで、目立たないように手元の資料を見るときなどは、手持ちの懐中電灯を使用すると、すぐに存在がわかり  その場がしらけてしまうなどの問題がある。【０００４】  必要最低限の明かるさで手元だけを照らすことができない【０００５】  持っているライトが手元から落ちやすい
【課題を解決するための手段】
【０００６】  指先に簡単に着用でき、落とさずに手元だけを必要最小限の明るさで照らすことを特徴とする。
【考案の効果】
【０００７】  指先に簡単に着用するため落とすこともなく、必要最小限の明るさで指元を照らすことができ、また、ＯＮ・ＯＦＦができるため他人にライトの存在を気づかれにくいという利点がある。
【実施例】
【０００８】  舞台上の司会進行者で使用し、スポットライトを受けて見えづらくなっている手元のメモをこのライトによって照らす。【０００９】  舞台の脇の黒子で使用し、客席から目立たず進行表・シナリオを見ることができる。【００１０】  警察の張り込み中に手元だけを照らし、第三者から存在を分かりにくくすることができる。
【図面の簡単な説明】
【００１１】
【図１】本体を指に取り付けている例の側面図
【図２】本体を指に取り付けている例の上から見た図
【図３】本考案ライトで書類を見ている例
【図４】本体下部を内側から見た図
【図５】考案全体図
【符号の説明】
【００１２】  １  マイクロボタンスイッチ
２  本体上部
３  本体下部
４  収縮ゴム
５  発光ダイオード
６  収縮ゴム用穴
７  コード
８  光量可変つまみ
９  電池ボックス
１０  指
１１  手
１２  書類
【図１】
0003140354.tif 000003
【図２】
0003140354.tif 000004
【図３】
0003140354.tif 000005
【図４】
0003140354.tif 000006
【図５】
0003140354.tif 000007
【手続補正書】
【提出日】平成19年12月17日(2007.12.17)
【手続補正１】
【補正対象書類名】実用新案登録請求の範囲
【補正対象項目名】全文
【補正方法】変更
【補正の内容】
【実用新案登録請求の範囲】
【請求項１】
本考案は、発光ダイオードを使用した照明（以下  ライトとも表現する）で、人の手の親指に装着するものであり、装着した親指の爪側と腹側に、指の形状に合わせて形取って作られたプラスチック製等でできた部品を、爪側と腹側をゴム等でつなぎ接続し、人の親指の太さに関係なく装着できるようにした装着用部品と、発光ダイオードを指の爪側装着用部品に組み合わせて取り付けた構造を有する、指先前方を明るく照らすことができる照明。
【請求項２】
本考案は、本体爪側装着用部品に取り付けている発光ダイオードの輝度をコントローラによって、自由に調整できることを特徴とする請求項１に記載の照明。
【請求項３】
本考案は、本体爪側装着用部品に取り付けている発光ダイオードの点灯を  親指の腹側装着用部品に取り付けているマイクロボタンスイッチによってＯＮ・ＯＦＦできる特徴を有する請求項１に記載の照明。
(57)【要約】      （修正有）【課題】使用済み農業用ビニール汚泥除去処理装置を提供する。【解決手段】水車の羽根部分１４（ここでいう羽根はゴム製又はそれに類する柔軟性のある樹脂）と水槽の中段に隔壁板１５を設け水車の羽根部分１４が接触するように設置し、破砕した使用済み農ビの重なったものを解すことと擦ることにより汚泥を除去する。水槽１０にはその水車１３と隔壁板１５を数箇所設け、使用済み農ビが通過できるようにする。水槽中段板１２には水車１３と接触する部分のみ隔壁板１５を設け、それ以外の部分は複数の穴１６を設け水槽底１１の部分に汚泥が沈殿するようにする。水槽１０の水流により順次水車の羽根１４と隔壁板１５を用いて使用済み農ビを擦って汚泥を落とし、水槽上段では農ビが流れ汚泥が取れた農ビを回収し、水槽下段では汚泥を水と汚泥に分離する装置に流れるようにして排水する。【選択図】図１
0003140351.tif 000002
【実用新案登録請求の範囲】
【請求項１】
農業用ビニール（以下通称で呼ばれている呼称として「農ビ」という。）の再生処理する前提として農ビに付着した汚泥物を取り除かなければならない。本考案は水槽に予め破砕された農ビを流し込み水車の羽根の部分に取り付けられたゴム及びそれに類する柔軟な樹脂と装置に取り付けた隔壁板とを接触させて農ビに圧力がかかるように擦り複数毎の農ビも重なることがなく汚泥を取り除く装置。
【請求項２】
前記水槽には水車の羽根とそれに接触する隔壁板の組み合わせを数箇所設け、水車の回転により水流が生まれ農ビがその流れによって数段階の同じ処理を行うことにより汚泥除去の精度が増してゆく請求項１記載の汚泥除去装置。
【考案の詳細な説明】
【技術分野】
【０００１】  本考案は使用済み農ビの汚泥除去装置に関する。
【背景技術】
【０００２】  使用済み農ビを再生処理するにはコストが問題であり、農ビの再生原料が新品の原料より安価なものにならない限り再生する意味がないし、事業として成り立たない。再生処理する工程の中で農ビの汚泥除去が機械化ではなかなか除去できず、人の手がかかり再生処理製品としては普及が困難であった。そのため使用済み農ビは産業廃棄物として処理する農家及び農業団体が一般的で環境問題の観点から見ても望ましいものではなかった。【０００３】  従来の技術としては水車の羽根が水面に浮いた農ビを叩き、その振動により汚泥を除去してゆく方法があった。
【考案の開示】
【考案が解決しようとする課題】
【０００４】  使用済み農ビを再生加工処理の前段階までの製品（再生品の原材料）にするには、使用済み農ビを完全に汚泥除去しなければならない。【０００５】  使用済み農ビを汚泥除去するには水を張った水槽に使用済みの破砕された農ビを入れ水車の羽根の回転で農ビを叩くことで多少の汚泥を除去することができるがその農ビが何重にも重なる為、完全な汚泥除去をすることは困難であった。
【課題を解決するための手段】
【０００６】  上記のような問題を解決する為本考案は、水車の羽根（ここでいう羽根はゴム製又はそれに類する柔軟性のある樹脂）と水槽の中段に隔壁板を設け水車の羽根が接触するように設置し、破砕した使用済み農ビの重なったものを解すことと擦ることにより汚泥を除去する。水槽にはその水車と隔壁板を数箇所設け、使用済み農ビが通過できるようにする。水槽中段の板には水車と接触する部分のみ隔壁板を設け、それ以外の部分は複数の穴を設け水槽底辺の部分に汚泥が沈殿するようにする。水槽の水流により順次水車の羽根と隔壁板を用いて使用済み農ビを擦って汚泥を落とし、水槽上段では農ビが流れ汚泥が取れた農ビを回収し、水槽下段では汚泥を水と汚泥に分離する装置に流れるようにして排水する。
【考案の効果】
【０００７】  従来使用済み農ビを再生原料にするため水で洗浄し汚泥除去を行う方法としては、汚泥が取れないため試行錯誤があった。本考案によれば、農ビを洗浄する上で困難であった農ビの重なりを本考案の水車の羽根と隔壁板の設置を付すことで農ビを解しながら汚泥の除去ができるようになる。
【考案を実施するための最良の形態】
【０００８】  本考案の装置は、水槽に水車を数箇所と水槽の中段には板を設置する。その中段には水車と接触できる部分に隔壁板を設けそれ以外の部分は砂・砂利等が落ちる穴を付す。使用済み農ビを入れる場所に洗浄用水が流れるようにし、水車の回転と同時に農ビが流れる仕組みにする。水槽下段底辺部に汚泥が沈殿するため汚泥と使用した水が分離できる装置を解して排水される仕組み。
【実施例】
【０００９】  以下に本考案を図面に基づき説明する。水槽１０には中段板１２を設置し、中段板１２には隔壁板１５を水車１３及び水車の羽根部分１４が接触できるように設置する。中段板１２の隔壁板１５以外の場所には、中段板の穴１６を設けた。この水槽１０の中段板の穴１６は直径３ミリ程度の穴で砂・砂利等汚泥物が落ちるようにしている。【００１０】  水槽の前方１８から洗浄水と破砕された使用済み農ビが中段板１２に入ってくるようにする。この農ビは何重にも重なっている場合も有り水車の羽根部分１４と隔壁板１５で圧力をかけ擦ることで農ビの重なりを解消し、汚泥も落ちる。【００１１】  再生原料とするために、その工程を何度も繰り返すように数箇所水車１３と水車の羽根部分１４と隔壁板１５箇所を水槽の後方１９の方に設ける。
汚泥が落ちて行く農ビは中段板１２の上を水流により水槽の後方１９に行き、数回の工程を繰り返すことでほぼ完全な形で農ビの汚泥が除去できるようになる。【００１２】  汚泥は中段板の穴１６から水槽の底１１に落ちる。水槽の底１１にも水流があるため水槽の後方１９の方に流れて行く。水槽の後方１９の最終到達地点に排水口を設け排水口のところに使用済み水と汚泥とを分別して処理できるようにする。
【産業上の利用可能性】
【００１３】  既に本考案の装置を稼動し、農業で使用した農ビを破砕したものを用いて上記工程を行っている。現にある農協から使用済み農ビを貰い受け本考案の装置で処理したものが再生材料と成り得ることを確認した。今後従来産業廃棄物として処理していた農家及び農業関係団体から産業廃棄物処理の為の費用負担も軽減されることから需要が見込まれる。
【図面の簡単な説明】
【００１４】
【図１】本考案装置の正面断面図
【図２】本考案装置の平面図
【符号の説明】
【００１５】  １０・・・水槽
１１・・・水槽の底
１２・・・中段板
１３・・・水車
１４・・・水車の羽根部分
１５・・・隔壁板
１６・・・中段板の穴
１７・・・水槽側壁板
１８・・・水槽の前方
１９・・・水槽の後方
【図１】
0003140351.tif 000003
【図２】
0003140351.tif 000004
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
水槽（１０）に羽根部分（１４）を付した水車（１３）と水槽の中段板（１２）に取り付けた隔壁板（１５）を備えたことを特徴とする汚泥除去装置。
【請求項２】
前記水槽（１０）には水車の羽根（１４）とそれに接触する隔壁板（１５）を数箇所設けた請求項１記載の汚泥除去装置。
(57)【要約】      （修正有）【課題】自動車のウインド用ワイパーブレードを包装する時ワイパーブレードをワンタッチ移動防止包装箱に固定し短時間で包装し、コストダウンをする。【解決手段】一体型ワンタッチワイパーブレード移動防止包装容器の一部分に仕切部分を設けそこにワイパーブレードを上下よりはさみ込みセンター部のストッパーにはめ込み上下左右の移動を防止する。その後折り込みながら製凾し上下のフタを閉じ完成となる。ボール紙一枚を折り曲げワイパーブレードを収納するだけなので包装作業の時間が大幅に短縮される。従来の材質に比べボール紙一枚だけなので材料費も安く在庫スペースも削減される。さらに使用後の産業廃棄物の心配も全くなく以前の包装形態より大幅にコストダウンとなる。【選択図】図２
0003140355.tif 000002
【実用新案登録請求の範囲】
【請求項１】
自動車のウインドガラス用ワイパーブレードを包装するための包装容器であって、従来はブリスターパックによる包装か紙の箱と中仕切としてのトレーに収納後箱に入れる方法がとられている。
今回当社が考案した包装容器は、従来の箱とトレーがセパレートされた方式ではなく、箱と仕切が一体型としたうえに、ワイパーブレードが箱の中で移動する事もないボール紙１枚で自動車のウインドガラス用のワイパーブレードを包装するための包装容器である。
【考案の詳細な説明】
【技術分野】
【０００１】  本考案は、自動車のウインドガラス用ワイパーブレードの一体型ワンタッチブレード移動防止包装容器に関するものである。
【背景技術】
【０００２】  従来自動車のウインドガラス用ワイパーブレードの包装作業はブリスターパックか箱の場合は、中仕切（トレイ）にワイパーブレード本体を収納後サック箱に中仕切ごとそう入していた。
【考案の開示】
【考案が解決しようとする課題】
【０００３】  従来のブリスターパック及び中仕切とサック箱による包装は、材料コストが高く、作業工程数が多いため包装時間がかかりコストアップになってしまっていた。この方法で包装を行った場合従来の方法より材料が安く包装にかかる時間も大幅に短縮できる。
【課題を解決するための手段】
【０００４】  本考案は、包装容器本体に中仕切が一体化しているので中仕切部分に３ヶ所の切り込みを入れその間にワイパーブレードをはさみ込み、ワイパーブレードの移動を防止してから折り込みながら製凾し完成品となる、一枚板紙を製凾するだけなので在庫スペースも大幅に減らせる。
【考案の効果】
【０００５】  上述の様に、本考案はフラットな状態１枚のボール紙による包装作業が行なえるため包装時間の短縮、在庫の軽減材料費の削減、又使用後の処理についても産廃処理を必要とせず焼却処理も可能のため大幅なコストダウンにつながる。
【考案の実施するための最良の形態】
【０００６】  フラット状のボール紙を最初に折りぐせをつけ中仕切部分の３ヶ所にワイパーブレードをはさみ込み固定させる。さらに折り込みながら製凾する。
【実施例】
【０００７】  以下、添付図面に従って一実施例を説明する。
１は、印刷され窓貼り加工された、一体型ワンタッチワイパーブレード移動防止包装容器本体、２はワイパーブレード本体を上下移動防止のストッパーとして、３の切り込み部分にワイパーブレードをはさみ込んで固定する。そして折り込み４の差し込み部分を差し込むと完成品となり短時間で包装作業が終り、包装容器の中でワイパーブレードが固定される。【０００８】  包装されたワイパーブレードを取り出す場合は、図１、図２の４の差し込み部分をはずし２、３のストッパーをはずすとワイパーブレードが取り出せる。【０００９】  本考案の一実施例は上述の如き構成になっているが１枚の印刷されたボール紙の表面にＰＥＴ加工（窓部分を含む）を施してあり、使用後は燃えるゴミとしての回収となる。表面にＰＥＴ加工（窓部分を含む）がない場合は故紙としてのリサイクルが可能である。
【図面の簡単な説明】
【００１０】
【図１】本考案の一体型ワンタッチワイパーブレード移動防止包装容器本体の製凾された完成図である。
【図２】本考案パッケージの断面図である。
【図３】本考案パッケージの展開図である。
【符号の説明】
【００１１】１  一体型ワンタッチワイパーブレード移動防止包装容器
２  ワイパーブレード上下移動防止ストッパー
３  ワイパーブレード移動防止ストッパー
４  ワイパーブレード包装差し込み
【図１】
0003140355.tif 000003
【図２】
0003140355.tif 000004
【図３】
0003140355.tif 000005
【手続補正書】
【提出日】平成19年12月13日(2007.12.13)
【手続補正１】
【補正対象書類名】実用新案登録請求の範囲
【補正対象項目名】全文
【補正方法】変更
【補正の内容】
【実用新案登録請求の範囲】
【請求項１】
自動車のウインドガラス用ワイパーブレードを包装するための包装容器であって、箱と仕切りを一体型とし、ボール紙１枚からなることを特徴とする一体型ワンタッチワイパーブレード移動防止包装容器。
【手続補正２】
【補正対象書類名】明細書
【補正対象項目名】０００３
【補正方法】変更
【補正の内容】
【０００３】従来のブリスターパック及びサック箱と中仕切による包装は材料コストが高く、作業工程数が多いため包装時間がかかりコストアップの要因となってしまっていたが、この方法で包装を行った場合は従来の方法より材料費が安く、包装にかかる時間も大幅に短縮できる。
【手続補正３】
【補正対象書類名】明細書
【補正対象項目名】０００４
【補正方法】変更
【補正の内容】
【０００４】本考案は、包装容器本体と中仕切が一体化しているので中仕切部分のセンターより若干下の２０ｍ／ｍほどの切り込みをワイパーブレードの本体の背部分の３０ｍ／ｍほどの凹部に差し込み上下の移動を防止し、さらに中仕切部分の上と下にワイパーブレードの長さに合せてそれぞれ２本の罫線を入れ箱の高さに合せて上下を折り込みさらに上下の移動防止の効果を高める。
【手続補正４】
【補正対象書類名】明細書
【補正対象項目名】０００６
【補正方法】変更
【補正の内容】
【０００６】フラット状のボール紙を最初に折りぐせをつけ作業性を向上させ中仕切部分のセンターより若干下の２０ｍ／ｍほどの切り込みをワイパーの背部分の３０ｍ／ｍほどの凹部にさし込み上下２ヶ所の２本の罫線を立ち上げ、ワイパーブレードを固定させながら、箱を折り込んで完成品とする。
【手続補正５】
【補正対象書類名】明細書
【補正対象項目名】０００７
【補正方法】変更
【補正の内容】
【０００７】以下、添付図面に従い実施例を説明すると
［図１］は一体型ワンタッチワイパーブレード  移動防止包装容器の完成図であり４はワイパーブレードの取り出し口となるか［図２］により説明すると全体の罫線に折りぐせをつけ１の仕切部分を折り込み２の切り込みをワイパーブレードの凹部分にはさみ込み３の上下押えを立ち上げワイパーブレードを固定させながら箱を折り込み４のストッパーをしめて完成品とする。
【手続補正６】
【補正対象書類名】図面
【補正対象項目名】全図
【補正方法】変更
【補正の内容】
【図１】
0003140355.tif 000006
【図２】
0003140355.tif 000007
【図３】
0003140355.tif 000008
(57)【要約】      （修正有）【課題】ブラジャーの先端から乳首を出す事により、重ね着した時その表面に乳首の陰影が現れ、装着者以外の同性・異性に対しても、ノーブラ意識を与える相乗効果が得られるブラジャーを提供する。【解決手段】従来のブラジャーの先端（乳首に当たるところ）に抽象又は幾何模様の形を切り抜き、乳房は囲み包むがこの穴より乳首を出すブラジャーで、乳首の当たるところに抽象又は幾何模様の穴寸法は３５ｍｍとし、穴の外輪手前１５ｍｍより伸縮ゴムを使い乳首の穴に向かって段階を作り、先端にいく程ゴムの間隔を空け、柔らかくして乳首を安全に出し易くする。【選択図】図１
0003140353.tif 000002
【実用新案登録請求の範囲】
【請求項１】
乳首の位置に穴を空け乳首の出せるブラジャーの開発
【考案の詳細な説明】
【考案の詳細な説明】
【０００１】ブラジャーの先端、乳首の位置に幾何・抽象模様のシルエット形の穴を空け乳首を安全に出せる穴空きブラジャー
【技術分野】
【０００２】ブラジャーの先端乳首にあたる穴の位置は企業のデーターに基づくベストな位置とする
【背景技術】
【０００３】ブラジャーといえば乳房の保護、形の整えや表面の装飾が主流
【考案が解決しようとする課題】
【０００４】従来のブラジャーは装着後、形や表面がはりこの様で重い感じになりナチュラルな女性美が損なう結果となっている。
【課題を解決するための手段】
【０００５】従来のブラジャーの乳首の位置に穴を空けタブーとされてきた乳首を出し斬新でセンセーショナルなパターンとして提案する
【考案を実施するための最良の形態】
【０００６】装着後乳首が出せるので解放感とノーブラ感覚が満喫出来る。
【考案の効果】
重ね着の上着との乳首の感触や表面に乳首の陰影の表現ができ大人のプロポーションとファッションを盛り上げる事ができる
【図面の簡単な説明】
0003140353.tif 000003
0003140353.tif 000004
0003140353.tif 000005
【手続補正書】
【提出日】平成19年11月12日(2007.11.12)
【手続補正１】
【補正対象書類名】実用新案登録請求の範囲
【補正対象項目名】全文
【補正方法】変更
【補正の内容】
【実用新案登録請求の範囲】
【請求項１】
ブラジャーの乳首に当たる箇所に乳首を出す穴を設けたブラジャー
【手続補正２】
【補正対象書類名】明細書
【補正対象項目名】全文
【補正方法】変更
【補正の内容】
【考案の詳細な説明】
【考案の詳細な説明】
【０００１】  従来のブラジャーの先端（乳首に当たる所）に抽象又は幾何模様の形を切り抜き穴を空け乳房は囲み包むがこの穴より乳首を出すブラジャー
【技術分野】
【０００２】  ブラジャーの乳首の当たる所に抽象又は幾何模様の穴寸法は３５ｍｍとし穴の外輪手前１５ｍｍより伸縮ゴムを使い乳首の穴に向かって段階を作り、先端にいく程ゴムの間隔を空け柔らかくして乳首を安全に出し易くする
【背景技術】
【０００３】  現在世の中に市販されているブラジャーと言えば乳房と乳首の保護と表面装飾が主体である。（▲１▼乳房と乳首を全体に被覆するもの、又は▲２▼乳房と乳首を被覆するが乳房の上部を見せる物が一般的である）
【考案が解決しようとする課題】
【０００４】  現在、乳房や乳首を被覆してしまうブラジャーは▲１▼女性のナチュラル性や▲２▼プロポーションを損なう物でありこの▲１▼、▲２▼を課題とした物である
【課題を解決するための手段】
【０００５】  従来のブラジャーに乳首の当たる場所に幾何又は抽象模様のシルエットの形を切り抜き乳首を出すように整えた
【考案の実施形態】
【０００６】  ブラジャーの装着者はブラジャー先端より乳首を出す事で女性としてのプロポーションを今までより自然体を強調できる
【考案の効果】
【０００７】  ブラジャーの先端より装着者は乳首を出す事により開放感やノーブラ感が盛り上がる
【０００８】  ブラジャーの先端から乳首を出す事により、重ね着をした時その表面に乳首の陰影が現れ装着者自身以外の同姓・異性に対してもノーブラ意識を与える相乗効果が得られ従来に無い女性美のプロポーションとなる
【図面の簡単な説明】
【０００９】
【図１】は正面図
【図２】は右側面図
【図３】は背面図
【図４】は底面図
【図５】は断面図
【符号の説明】
【００１０】Ａ−Ａ′は正面図の断面方向を表す
【手続補正３】
【補正対象書類名】図面
【補正対象項目名】全図
【補正方法】変更
【補正の内容】
【図１】
0003140353.tif 000006
【図２】
0003140353.tif 000007
【図３】
0003140353.tif 000008
【図４】
0003140353.tif 000009
【図５】
0003140353.tif 000010
(57)【要約】      （修正有）【課題】暑い時やちょっとお洒落感を出したいときに、自由に好きな位置で袖を捲くったり、たくし上げたりして着られるようにする。【解決手段】袖裏の袖口と肘の中間部分にゴムシャーリングを付けて、袖口が開けられる切羽・本開きにする。【選択図】図３
0003140358.tif 000002
【実用新案登録請求の範囲】
【請求項１】
袖が自由にたくし上げられる上衣。
【考案の詳細な説明】
【技術分野】
【０００１】  本考案は、袖を自由にたくし上げる事ができるアウターに関するものである。
【背景技術】
【０００２】  従来のアウター・ジャケットは、夏の熱い時期に袖を捲くるには、袖を畳み込んで長さの調整をしたり、内紐を外側の釦で留める所謂ロールアップしかなく、紐の長さや最初に折り込んだ幅によって捲り上げる長さが決まってしまうし、自由な位置固定することが困難である。
【考案の開示】
【考案が解決しようとする課題】
【０００３】  袖をもっと簡単に、好きな位置でたくし上げることを目的とする。
【課題を解決するための手段】
【０００４】  本考案は、表地にはひびかない様に、且つ手首に当らない様に袖の裏地部分にゴムを縫い付けて腕周りにテンションをつける事によって、袖をたくし上げた時に、腕周りのゴムのテンションだけで好きな腕の位置で留まるように課題を解決している。
【考案の効果】
【０００５】  外から見る袖の形状は、通常の袖口が開く袖と全く変わり無く、袖口釦をはずして、捲くっても捲くらなくても、袖をたくし上げた位置で自然な感覚で着用する事が可能になる。
【考案の実施するための最良の形態】
【０００６】一般的に男性の手首は周囲１５ｃｍ〜２０ｃｍ、前腕の太い部分は周囲２０ｃｍ位から３０ｃｍ位あり、通常の上衣の袖口幅が１３．５ｃｍ〜１５ｃｍ（周囲で２７〜３０ｃｍ）くらいなので、何とか袖は、前腕を通るようになって居りますが、それを好きな位置で固定するために、袖の裏地部分に、ゴムシャーリングを施すことによって前腕・肘・上腕のどこでも留める事ができ、自然なシワ感を出して袖をたくし上げた状態を好きな位置で保つことができる機能と利便性を生み出すことができる。
【実施例】
【０００７】  以下、添付図面に従って実施例を説明する。図１のように、好きな位置でたくし上げられるように、袖口に十分な太さを確保するために、図２にある本切羽仕様やタブによって袖口が開くように作る。【０００８】  図３の袖裏図のように、袖口からその上の所までを袖を捲くったときに表から見えても良いようにシャツ地などのきれいな生地で切り返し、袖口から１０ｃｍ〜２０ｃｍの辺りでゴムシャーリングを付けて、さらに裏地との切り替え部分辺りで裏地が袖下から出てこないように表地と裏地を中とじする。
【図面の簡単な説明】
【０００９】
【図１】  片袖をたくし上げた状態図
【図２】  袖口が開く本切羽とタブによる本開き袖の図である。
【図３】  タック・アップ・スリーブの袖裏図である。
【図１】
0003140358.tif 000003
【図２】
0003140358.tif 000004
【図３】
0003140358.tif 000005
【手続補正書】
【提出日】平成19年12月20日(2007.12.20)
【手続補正１】
【補正対象書類名】実用新案登録請求の範囲
【補正対象項目名】全文
【補正方法】変更
【補正の内容】
【実用新案登録請求の範囲】
【請求項１】
両袖の裏地部分にリング状にゴムを縫い付ける事によって、そのテンションで自由な場所で、袖をたくしあげるこをができる上衣。
(57)【要約】      （修正有）【課題】使用者の鼻を覆い、話すときマスクを取り外さなくてもよく、使用上、便利な鼻用マスクを提供する。【解決手段】鼻用マスク１０は、面体１２と、面体両側の相対位置に設置され、それぞれ、使用者の耳に掛けることができるふたつの耳ベルト部１４，１４’とからなる。面体は使用者の鼻を覆う。更に、面体の一端に位置する圧片１６により、面体と鼻梁間を密合状態にし、鼻用マスクが使用者の顔部と密着し、ろ過効果に優れる。また、使用者の鼻部分だけ覆うので、話す時に外す必要がない。【選択図】図１
0003140300.tif 000002
【実用新案登録請求の範囲】
【請求項１】
鼻用マスクであって、
少なくとも１つの防護層を有する面体と、
前記面体両側辺の相対位置にそれぞれ設置され、使用者の耳に掛けて使用し、前記面体が使用者の鼻を覆う２つの耳ベルト部と、
前記面体の一縁に設置され、前記面体と鼻梁間を密合状態にする圧片と、
からなることを特徴とする、
鼻用マスク。
【請求項２】
前記面体は不織布、或いは、織布材質から選択することを特徴とする請求項１に記載の鼻用マスク。
【請求項３】
前記織布は、更に、活性炭を含む材質、或いは、ポリエチレン材質から選択できることを特徴とする請求項２に記載の鼻用マスク。
【請求項４】
前記防護層は活性炭繊維であることを特徴とする請求項１に記載の鼻用マスク。
【請求項５】
前記面体と前記耳ベルト部は一体成型でなることを特徴とする請求項１に記載の鼻用マスク。
【請求項６】
前記耳ベルト部は伸縮弾性を有することを特徴とする請求項１に記載の鼻用マスク。
【請求項７】
前記圧片は変形可能な金属材質、或いは、変形可能なプラスチック材質から選択されることを特徴とする請求項１に記載の鼻用マスク。
【考案の詳細な説明】
【技術分野】
【０００１】
本考案は、マスクの構造に関するもので、特に、鼻を覆い、埃を侵入させない鼻用マスクに関するものである。
【背景技術】
【０００２】
近年、中国大陸の発展に伴い、工業汚染物も季節風によって運ばれ、空気汚染が著しい。よって、マスクは、空気中の汚染物を阻止する個人の保健衛生の重量な用品となっている。
【０００３】
中華民国（台湾）の特許証書第３１０００５号で開示されるマスクの改良構造は、主に、口と鼻を覆うマスク体、及び、マスク体両側に穿接されるひも状部からなる。マスク体は、主に、表面の布層、内側の布層、及び、両者間に挟置される海綿層からなる。マスク体表面布層と海綿層の間、或いは、マスク体内側布層と海綿層の間は、口と鼻の適当な幅に活性炭層を挟置している。しかし、上述のマスクは、口と鼻を覆って埃を阻止するもので、内側の布層と使用者の唇部が接触し、女性の口紅が落ちてしまい、且つ、使用者が話すとき、マスクを取らないと、話がうまく伝わらないので、使用上の不便がある。
【特許文献１】台湾特許第３１０００５号
【考案の開示】
【考案が解決しようとする課題】
【０００４】
本考案は、鼻用マスクを提供し、使用者の鼻を覆い、使用者が話すとき、マスクを取り外さなくてもよく、使用上、便利にすることを目的とする。
【０００５】
本考案は、鼻用マスクを提供し、圧片を利用し、この面体と鼻梁間が密合状態になり、鼻用マスクは使用者の顔部と密着して、ろ過効果を増加することをもう１つの目的とする。
【課題を解決するための手段】
【０００６】
上述の目的を達成するため、本考案の鼻用マスクは、面体と二耳ベルト部と圧片とからなる。面体は防護層を有する。二耳ベルト部は、面体両側の相対位置に設置され、それぞれ、使用者の耳に掛けることができ、面体は使用者の鼻を覆うことができる。更に、面体の一端に位置する圧片により、面体と鼻梁間を密合状態にし、この圧片は変形可能な金属材質、或いは、変形可能なプラスチック材料からなる。
【考案の効果】
【０００７】
本考案の鼻用マスクは、使用者の鼻を覆い、使用者が話すとき、マスクを取り外さなくても、はっきりと表現でき、便利に使用できる。
【考案を実施するための最良の形態】
【０００８】
図１は、本考案の鼻用マスクを示す図である。本考案は、一体成型される鼻用マスク１０を提供し、使用者の鼻を覆う面体１２、及び、面体１２両側の相対位置に設置される二耳ベルト部１４、１４’からなる。更に、面体１２の一縁に位置する圧片１６により、面体１２と鼻梁間を密合状態にする。この面体１２は不織布、或いは、織布材質で、織布材質は、活性炭を含む布、或いは、ポリエチレン材質から選択できる。面体１２は防護層を有し、この防護層は活性炭繊維を選択し、埃粒子が鼻腔に侵入するのを阻止する。使用者は鼻用マスク１０を使用する時、鼻が吸入した空気はまず、活性炭繊維によりろ過、殺菌、及び、臭気が除去されて、鼻用マスクのろ過効果を増加する。
【０００９】
図２は本考案の使用状態参考図である。面体１２両側の相対位置の耳ベルト部１４、１４’は、使用者の耳に掛けて使用し、面体１２が使用者の鼻を覆う。この二耳ベルト部１４、１４’は伸縮弾性を有し、面体１２一端に設置された圧片１６により、使用者の鼻梁を押圧し、面体１２と鼻梁間は密合状態になり、面体１２と使用者の顔部が密着し、ろ過効果を増加させる。この圧片１６は変形可能な金属材質、或いは、変形するプラスチック材質からなる。
【００１０】
上述から分かるように、本考案は鼻用マスクを提供し、本考案は一般に市販されている鼻用マスクと異なり、面体が使用者の鼻を覆って、埃粒子を阻止し、使用者の口部を覆っていないので、使用者が話すとき、マスクを取り外す必要がなく、女性が塗った口紅がマスク上で落ちることがない。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができる。
従って本考案の保護範囲は、実用新案登録請求の範囲で指定した内容を基準とする。
【図面の簡単な説明】
【００１２】
【図１】本考案の鼻用マスクを示す図である。
【図２】本考案の使用状態の参考図である。
【符号の説明】
【００１３】
１０          鼻用マスク
１２          面帯
１４、１４’  耳ベルト部
１６          圧片
【図１】
0003140300.tif 000003
【図２】
0003140300.tif 000004
(57)【要約】      （修正有）【課題】多数枚のカード類をそれぞれのカード類を容易に識別でき、しかも札小銭、小物類がスリムに収納される財布を提供する。【解決手段】一方の側面部１ａから上面部１ｂを経て、他方側面部１ｃにかけてファスナー２を設け、ファスナー２の開閉により見開きが自在な本体１の内部に複数個のポケット３を有するしきり４が複数枚蛇腹状に伸縮可能なように連接されてなる財布であって複数個のポケット３には、複数枚のカード類が１枚づつ横向きに差し込まれ、かつ差し込まれたカード類の大部分は重なり合い１部分のみ見る事ができる。このしきり４によって出来る空間はさまざまな物の収納が可能．側面Ａの内側には、ファスナー５、６により小銭・小物などの収納可能なポケットそれぞれ５ａ、６ａを有する事を特徴とする。【選択図】図１
0003140246.tif 000002
【実用新案登録請求の範囲】
【請求項１】
一方の側面部（１ａ）から上面部（１ｂ）を経て他方の側面部（１ｃ）にかけて、ファスナー（２）を設け、ファスナー（２）の開閉により見開きが自在な本体（１）の内部に、複数個のホケット（３）を有するしきり（４）が複数枚蛇腹状に伸縮可能なように連接されてなる財布であって、複数個のポケット（３）には、複数枚のカード類が１枚づつ横向きに差し込まれ、かつ、差し込まれたカード類の大部分は重なり合い一部分のみ見る事ができる。このしきり（４）によって出来る空間は、さまざまな物の収納が可能、側面（Ａ）の内側には、ファスナー（５）、（６）により、小銭、小物などの収縮を可能にすることを特徴とするマルチ財布。
【考案の詳細な説明】
【技術分野】
【０００１】本考案は多数枚のカードや名刺（以下「カード類」とする）を、それぞれのカード類を容易に識別することができ、しかも小銭や小物なども取り出しやすい財布に関する。
【背景技術】
【０００２】今日カード社会においてカード類収納ポケットを備えた財布は非常に便利であることは誰もが認めるところである。しかし現在商品化されているカード類収納ポケットを備えている財布の多くはせいぜい１０枚程度のカード類しか収納できず多数枚のカードを持ち歩き、小銭での買物もしたい者にとっては不便である。そこで、より多くのカード類が１目で識別でき、札も小銭も１つの財布に収納される使いやすい財布が望まれる。【０００３】
【特許文献１】実用新案登録第３１０８８７９号
【考案の開示】
【考案が解決しようとする課題】
【０００４】本考案は、多数枚のカード類を容易に識別することができ、しかも札や小銭小物など多種に渡って収納できる財布を提供することを目的とする。
【課題を解決するための手段】
【０００５】一方の側面部（１ａ）から上面部（１ｂ）を経て、他方の側面部（１ｃ）にかけてファスナー（２）を設け、ファスナー（２）の開閉により見開きが自在な本体（１）の内部に複数個のポケット（３）を有するしきり（４）が複数枚の蛇腹状に伸縮可能なように連接されてなる財布であって、複数個のポケット（３）には、複数枚のカード類が１枚づつ横向きに差し込まれ、かつ差し込まれたカード類の大部分は重なり合い１部分のみ見ることができる。このしきり（４）によって出来る空間は、さまざまな物の収納が可能。側面（Ａ）の内側にはファスナー（５）・（６）により小銭、小物などの収納可能なポケット（５ａ）・（６ａ）を有することを特徴とする財布。
【考案の効果】
【０００６】本考案によれば多数枚のカード類を収納かつ容易に識別しかも小銭、小物なども収納することができる財布が提供される。
【考案を実施する為の最良の形態】
【０００７】以下本考案を図面にて説明
【０００８】図１は本考案の財布の一例の全体斜視図である。この財布は一方の側面部（１ａ）から上面部（１ｂ）を経て他方の側面部（１ｃ）にかけてファスナー（２）を設け、ファスナー（２）の開閉により見開きが自在な本体（１）の内部に裏・表に８つのポケット（３）を有するしきり（４）が蛇腹状に伸縮可能なように連接されてなる構造を基本とする。
そして８つのポケット（３）を有するしきり（４）には、それぞれ８枚のカード類が１枚づつ横長に差し込まれ、かつ差し込まれた前後のカード類の大部分は重なり合い一部分のみ見える状態で収納される。
【０００９】図２は、しきり（４）の前面図又は後面図、共に同じ、それぞれの差し込み口の差は１ｃｍ以上が望ましい。
【００１０】図３は、しきり（４）の横からの図差し込みの深さは５ｃｍが望ましい。
【００１１】なお、図１で示した財布は、小銭、小物などを収納する為のファスナー付ポケット（５ａ）（６ａ）を設けたものであるが、ポケットの材質については、皮、合成皮革などのかたい材質の物より、小銭などが取り出しやすい丈夫な布製が望ましい。
【産業上の利用可能性】
【００１２】本考案は多数枚のカード類をそれぞれのカード類を容易に識別することができしかも小銭などスリムに収納することができる。スーパーマーケットの精算時に財布から現金を出し、カードケースからポイントカードなどをあわてて探すなどの不手際は解消される点において、産業上の利用可能性を有する。
【図面の簡単な説明】
【００１３】
【図１】本考案財布の一例の全体斜視図
【図２】しきり（４）の前面、後面の図
【図３】しきり（４）の横から見た図・及び構造．
【符号の説明】
【００１４】１        財布本体
１ａ      一方の側面図
１ｂ      上面部
１ｃ      他方の側面図
２        ファスナー
３        カード類ポケット
４        カード類ポケットを有するしきり
５        小銭入れポケット用ファスナー
５ａ      小銭入れポケット
６        小物入れポケット用ファスナー
６ａ      小物入れポケット
Ａ        側面
【図１】
0003140246.tif 000003
【図２】
0003140246.tif 000004
【図３】
0003140246.tif 000005
(57)【要約】      （修正有）【課題】刺股の最大の欠点である湾曲部を掴まれて相手に刺股を取られてしまうことを防ぐ。【解決手段】湾曲部１は幅広の板状になっており、相手は湾曲部を強く握ることは出来ない。つまり刺股を相手に奪われる危険性は極めて少なく、また先端の湾曲部が幅広の板状になっているため楯としての効果もあり、相手に対して威圧感を与えることが出来る。【選択図】図１
0003140244.tif 000002
【実用新案登録請求の範囲】
【請求項１】
刺股の湾曲部を手で強く握ることの出来無い幅を持った平たい板状の物で構成し、相手と対峙した場合相手が刺股の湾曲部を握ってきても強く握れない楯構造を持った刺股。
【考案の詳細な説明】
【技術分野】
【０００１】本考案は、一般に護身道具として採用されている刺股の最大の弱点である、先端の湾曲部を握られた場合力のモーメントの関係で犯罪者側に簡単に刺股を取られてしまうという危険性を回避させた刺股に関するものである。
【背景技術】
【０００２】一般的に護身道具として市販されている刺股は、警察や金融機関、学校などの現場に数多く採用されている。刺股の最大の特徴は、相手との距離を保って対峙が出来るため安心感を生むことにあるが、先端の湾曲部を相手に握られてしまうと、力のモーメントの関係で簡単に相手に刺股を奪われてしまうという決定的な欠点を持っており、実際の使用に関してはかなりの力と訓練が必要であり実用的でない。
【考案の開示】
【考案が解決しようとする課題】
【０００３】今多くの金融機関や学校施設等で刺股を大量導入しているが、刺股の使い方に慣れていない非力な人が使った場合は、刺股の先端湾曲部を掴まれてしまうと力のモーメントの関係で簡単に相手に刺股を取られてしまい、かえって相手に武器を渡す事態になりかねない。これは刺股が犯人に対して有効な護身道具かと言うと全く逆で、かえって相手に武器を渡しかねない重大な局面を招く危険性がある。
【課題を解決するための手段】刺股は相手と距離を持って対峙できるので、使用者に大きな安心感が得られるため数多く採用されているが、通常の刺股は湾曲部が丸型のパイプで出来ているため、先端の湾曲部を握られてしまうと力のモーメントの関係で相手側の方が強い力を発揮することになり、刺股を相手に取られてしまう危険性がある。本機は湾曲部を掴まれないようにするため、従来の刺股で採用されている丸型のパイプ構造の湾曲部でなく、湾曲部は板状の平型になっており、板幅は相手が強く握ることが出来ない幅を持たせ、強く握ることが出来ない構造にしてある。相手を抑え込んだ際に仮に湾曲部を握られた場合でも、通常の刺股の様に強く握ることは不可能、相手に刺股を奪われる危険性は極めて少ない。
【考案の効果】本考案の楯刺股は、刺股の湾曲部を掴まれる危険性が極めて低いので、刺股を相手に取られてしまうという刺股の最大の欠点である危険性を回避できる。また先端が幅広の板状になっているため相手に圧迫効果を出す楯の効果も併せ持っている。
【考案を実施するための最良の形態】
【実施例】以下添付図面に従って実施例を説明する。図面１は全体のイメージ図で、図面２は上から見た図、図面３は横から見た図、図４は湾曲部を真正面と裏側から見た図である。図面５は、湾曲部を握った時のイメージ図で、通常の刺股は、湾曲部は丸パイプであるので簡単に強く握ることが出来るが、楯刺股は上から握ってきても板の幅が邪魔をして強く握れないだけでなく、盾として相手に対する威圧の効果もある。
【図面の簡単な説明】
【図１】楯刺股を示した全体イメージ図
【図２】楯刺股を上から見た図
【図３】楯刺股を横から見た図
【図４】湾曲部を正面と裏から見た図
【図５】刺股の先端を握られた時のイメージ図（左図が従来の刺股、右図が楯刺股）
【符号の説明】
１  楯刺股  パイプ部
２  先端湾曲部
３  鍔
４  握りグリップ
【図１】
0003140244.tif 000003
【図２】
0003140244.tif 000004
【図３】
0003140244.tif 000005
【図４】
0003140244.tif 000006
【図５】
0003140244.tif 000007
(57)【要約】      （修正有）【課題】便座式水洗トイレを、使用の際、便器内の汚れを、水溶性用紙に、洗浄剤、消匂芳香剤を付着し、トイレを使用する度に洗浄出来る、水洗トイレに使用する洗浄用紙の提供。【解決手段】二枚の水溶性用紙１の下面の用紙にＣＭＣ化学糊を付着、洗浄剤、消匂芳香剤を付着し、上面の用紙に弛みを持たせ折り目を付け、圧着乾燥して指で摘める様にした便座式、水洗トイレの内面に合う寸法に裁断し、便器内水面に置き、硬便の跳ね返りと軟便付着を防ぎ、トイレを使用する度に便器内を洗浄出来る水洗トイレに使用する洗浄用紙。【選択図】図１
0003140241.tif 000002
【実用新案登録請求の範囲】
【請求項１】
便座式、水洗トイルに使用する二枚の用紙を、水洗トイレの、便器の寸法に合わせた、二枚の長方形の、水溶性用紙の、上面の用紙の、中央に縦に、手でつまめる様に、弛みを持たせ下面の用紙に、ＣＭＣ系化学糊を付着、洗浄剤と消匂芳香剤を付着して、上下の回転、加熱乾燥ロ−ラ−の間を通し、折り目を付けて、乾燥した、水溶性用紙を作り、便器内の水面に置き、硬便の跳ね返る事を防ぎ、軟便が付着しない、トイレを使用する度に便器内の洗浄効果が有る便座式、水洗トイレの便器に使用する洗浄用紙。
付記、上下の回転、加熱乾燥ロ−ラ−の部分は、実用新案登録請求の範囲外。
【考案の詳細な説明】
【技術分野】
【０００１】本考案は、便座式水洗トイレの汚れを、二枚の水溶性洗浄用紙の間に洗浄剤と消匂芳香剤を、ＣＭＣ系化学糊を付着し、上面用紙は中央に、手でつまめる様弛みを持たせ、上下の加熱乾燥ロ−ラ−で乾燥し、弛みを折り目に変え、便器水面に置き、長方形の水溶性用紙を、使用する事で、硬い便の跳ね返りを防ぎ軟便が便器に付着する事がない、便座式、水洗トイレに使用する洗浄用紙。
【背景技術】
【０００２】従来は、トイレの汚れを、洗浄する場合、洗浄液を使用し、ブラシ等を使い洗浄液等で洗浄する、この場合、硬い便が跳ね返り、軟便の場合は便器に付着して、其の度に便器を洗浄する、労力を減らす目的で、トイレを使用する度に便層内を洗浄し、清潔に出来る、水洗トイレに使用する洗浄用紙の提供。
【考案の開示】
【考案が解決しようとする課題】
【０００３】  二枚の水溶性用紙の、上面の用紙に弛みを持たせ、縦中央に折り目を付け、手でつまめる様にして、二枚の用紙の間に、ＣＭＣ化学糊を付着し、洗浄剤と消匂方香剤を付着し、上下の回転する、加熱乾燥ロ−ラ−の間を通し、乾燥し長方形の水溶性用紙を、便器水面に置き、便座式、水洗トイレを使用する際に硬便の跳ね返りを防ぎ、軟便が付着し汚れる事がない、トイレを使用する度に便器内の洗浄が出来る、便座式、水洗トイレの便器に使用する洗浄用紙。
【課題を解決するための手段】
【０００４】本考案は、上述の様に、二枚の水溶性用紙の、上面の用紙に弛みを持たして、縦中央に折り目を付け、手で、つまめる様にし、二枚の用紙の間に、ＣＭＣ系化学糊を付着させ、洗浄剤の粉と、芳香剤を浸透付着し、加熱乾燥する上下の回転ロ−ラ−で、乾燥した長方形の水溶性用紙に折り目を付け、水洗トイレの便器の水面に置き、トイレを使用する際に、硬便の跳ね返りを防ぎ、軟便が便器に付着する事がない、トイレを使用する度に、便器を洗浄出来る、便座式水洗トイレの便器に使用する、水溶性用紙に依り、問題点を解決する。
【考案の効果】
【０００５】  上述の様に、便座式水洗トイレの便器内水面に、二枚の水溶性用紙の上面の用紙に、弛みを付け、指で摘める部分を作り、下面の用紙に、ＣＭＣ化学糊を付着し、粉末洗浄剤と芳香剤を浸透付着し、上面の用紙と重ね、加熱乾燥する上下の回転、ロ−ラ−に依り、乾燥接着し、弛み部分を折り付け、水洗トイレ水面に置き、硬い便の跳ね返りを防ぎ、軟便が付着する事がない、洗浄水を、流す場合、最初は弱く流し連続して強い流れにする事で、溶解した便が便層の溝に、せり上がり、付着する事がない様に、水を流す度に、汚れを洗浄する、事が出来る、便座式、水洗トイレに使用する水溶性用紙を使用し、便器洗浄に従事する、主婦の労力を減らす効果が有り、更に、便器Ｕ字型の蓋の下部分に一枚の、水溶性用紙を折り曲げ、被せた場合、男子の尿が掛かり、汚れる事を防ぐ、効果有る。
【考案を実施するための最良形態】
【０００６】  便座式、水洗トイレの便器内水面に置く、二枚の水溶性用紙、下面の用紙にＣＭＣ系化学糊を付着し、洗浄剤の粉と、消匂芳香剤を浸透付着、上面に接着する用紙は、弛みを持たせ、上下の回転する、加熱乾燥、ロ−ラ−に依って、指で摘める、折り目を作り、便器内水面に置く事で、硬い便の跳ね返りを防ぎ軟便の付着がない、水洗トイレを使用する度に、便器内を洗浄出来る、便座式水洗トイレに使用する洗浄用紙。
【実施例】
【０００７】  以下、貼付図面に従って、実施例を説明します、１は、二枚の水溶性用紙を便座式、水洗トイレの便器、内面に合う寸法に裁断して、下面の用紙に、２のＣＭＣ系化学糊を付着し、３の、洗浄剤と消匂芳香剤を、更に、付着し、４の上面の水溶性用紙を、５の、弛みを持たした部分を加熱乾燥、回転ロ−ラ−の間を通し、折り目を付け、指で摘める様にして、水洗便器の水面を、覆う様に置き、硬い便の跳ね返りを防ぎ、軟便が便器に付着しない、水溶性用紙を使用トイレを使用する度に、水洗便器の内部を洗浄出来る、便座式、水洗トイレに使用する洗浄用紙。
【産業上の利用可能性】
【０００８】  本考案の、便座式、水洗トイレの便器に使用する洗浄用紙を、使用する事に依って、洗浄液を入れる、プラスチック容器の、廃棄を減少する、効果が有り石油資源を、節約する事が出来る。
【図面の簡単な説明】
【０００９】
【図１】  洗浄用紙の斜視図、
【図２】  洗浄用紙を構成する分解図、
【符号の説明】
【００１０】    １            二枚の水溶性用紙、
２            下面に使用するＣＭＣ系化学糊を付着した水溶性用紙、
３            洗浄剤と消匂芳香剤、
４            上面の水溶性用紙、
５            上面の用紙に弛みを持たせ折りを付けた部分、
【配列表フリーテキスト】
【００１１】類似した特許出願        整理番号ＯＺ０００２０３
特願２０００−１３２９８７
【図１】
0003140241.tif 000003
【図２】
0003140241.tif 000004
【手続補正書】
【提出日】平成19年11月26日(2007.11.26)
【手続補正１】
【補正対象書類名】実用新案登録請求の範囲
【補正対象項目名】全文
【補正方法】変更
【補正の内容】
【実用新案登録請求の範囲】
【請求項１】
便座式、水洗トイルに使用する二枚の用紙を、水洗トイレの、便器の寸法に合わせた、二枚の長方形の水溶性用紙に、上面の用紙の中央に、縦に、手でつまめる様に、弛みを持たせ下面の用紙に、ＣＭＣ系化学糊を付着、洗浄剤と消匂芳香剤を付着して、加熱加圧して、折り目を付けて乾燥し、水溶性用紙を作り、便器内の水面に置き、硬便の跳ね返る事を防ぎ、軟便が付着する事予防トイレを使用する度に、便器内の洗浄効果が有る便座式、水洗トイレの便器に使用する洗浄用紙。
【手続補正２】
【補正対象書類名】図面
【補正対象項目名】全図
【補正方法】変更
【補正の内容】
【図１】
0003140241.tif 000005
【図２】
0003140241.tif 000006